(57)【要約】【課題】  商品の値引き処理において、マークダウンラベルを用いることなく値引き処理を行なうプライスダウン処理システム及びプライスダウン処理方法を提供することが課題である。【解決手段】  生鮮商品に貼付され、当該商品の価格と加工時刻を含む商品情報を備えるラベル１と、購入商品精算時に上記商品情報を読取るリード手段５と、リード手段５による商品情報読取り時における読取り時刻と、読取った加工時刻との時間差値を算出する算出手段６と、時間差値に応じて、価格の割引を行なう精算手段７とを備えたプライスダウン処理システム１０を提供する。【選択図】        図１
2010039504.tif 000002
【特許請求の範囲】
【請求項１】
生鮮商品に貼付され、当該商品の価格と加工時刻を含む商品情報を備えるラベルと、
購入商品精算時に上記商品情報を読取るリード手段と、
上記リード手段による上記商品情報読取り時における読取り時刻と、読取った上記加工時刻との時間差値を算出する算出手段と、
上記時間差値に応じて、上記価格の割引を行なう精算手段とを備えたプライスダウン処理システム。
【請求項２】
上記精算手段は、上記時間差値が所定の値を超えた場合に精算不能処理を行なうことを特徴とする請求項１記載のプライスダウン処理システム。
【請求項３】
上記ラベルは、商品の加工時刻に応じた色表示部分を備えることを特徴とする請求項１または２記載のプライスダウン処理システム。
【請求項４】
上記ラベルに表示された色表示に応じたプライスダウン情報を提示する表示手段を備えることを特徴とする請求項３記載のプライスダウン処理システム。
【請求項５】
生鮮商品に貼付され、当該商品の価格と加工時刻を含む商品情報を備えるラベルの当該商品情報を購入商品精算時刻とともに読取るリード処理と、
上記リード処理にて読取った上記商品情報の加工時刻と上記購入商品精算時刻との時間差値を算出する算出処理と、
上記算出処理にて得られた時間差値に応じた割引率を設定する割引率設定処理と、
上記商品情報の価格に上記割引率を掛け合わせ割引価格情報を算出する割引価格算出処理とを備えるプライスダウン処理方法。
【発明の詳細な説明】
【技術分野】
【０００１】
本発明は、商品の加工時刻からの時間経過に応じて商品の値引きを行なうプライスダウン処理システム及びプライスダウン処理方法に関し、詳しくはマークダウンラベルを用いることなく商品の値引きを行なうプライスダウン処理システム及びプライスダウン処理方法に関する。
【背景技術】
【０００２】
通常、鮮度が時間経過に伴って低下する商品は、時間経過に応じて値引き処理が行なわれる。値引き処理は、最初に設定された価格が表示されたラベルの上に値引き後の価格が表示されたラベルを貼付することにより、また最初に設定された価格が表示されたラベルの貼付位置周辺に値引き額が表示されたラベルを貼付することにより行なわれる。
更に、特許文献１に依れば、最初に設定された価格情報を誤って読まれないように、価格情報を含んだバーコードにマークダウン片を貼付することによりリード不能状態にして値引き前の価格情報を利用できないようにする技術が開示されている。
【０００３】
【特許文献１】特開２００８−１６４８１９号公報
【発明の開示】
【発明が解決しようとする課題】
【０００４】
従来の値引き処理では、商品の値引きを行なう場合、新たなラベルをマークダウンラベルとして必要とするためラベル資源を徒に消費してしまう。
また、値引きのためには人手によるマークダウンラベル貼付処理の工数を必要としており、処理自体非常に効率が悪いという問題がある。
更に、商品の値引き後の値段はマークダウンラベルの表示に依存するため、悪意によるマークダウンラベルの貼り替えが行なわれることを完全に防ぐことができない。
【０００５】
本発明は以上のような諸問題を解消すべくなされたもので、値引き処理にてマークダウンラベルを用いることなく、人手によるマークダウン処理工数を不要とし、悪意によるマークダウンラベルの貼り替えを完全に防止することができるプライスダウン処理システム及びプライスダウン処理方法を提供することが課題である。
【課題を解決するための手段】
【０００６】
すなわち本発明は、
生鮮商品に貼付され、当該商品の価格と加工時刻を含む商品情報を備えるラベルと、購入商品精算時に上記商品情報を読取るリード手段と、リード手段による商品情報読取り時における読取り時刻と、読取った加工時刻との時間差値を算出する算出手段と、時間差値に応じて、価格の割引を行なう精算手段とを備えたプライスダウン処理システムを提供する。
価格と加工時刻とを含む商品情報は、リード手段にて読取られる。読取りの際には読取り時刻も取得する。加工時刻と読取り時刻とから、算出手段は精算時の加工経過時間を時間差値として算出する。精算手段は、商品毎に時間差値に応じた価格割引を行なう。
【０００７】
更に、精算手段は、時間差値が所定の値を超えた場合に精算不能処理を行なう。
例えば、加工時刻から所定時間経過した際には品質劣化の虞があるため販売できないように、その所定時間経過値を時間差値にして、所定時間経過後の商品を確実に販売不能にする。
【０００８】
更に、ラベルは、商品の加工時刻に応じた色表示部分を備える。
生鮮加工商品は、常時加工している訳ではなく、消費者の購入頻度が高い時間帯をターゲットにして加工されている。そのため、或る程度決まった時刻範囲単位で加工処理が行なわれる。そこで、この時刻範囲単位ごとに用いるラベルに異なった色表示を行なうことができる。こうして、商品が加工された時刻範囲単位が色表示で明確になるので、割引対象になる商品の区別が容易になる。
【０００９】
更に、ラベルに表示された色表示に応じたプライスダウン情報を提示する表示手段を備える。
色分けされたラベルが貼付された商品の割引情報が認識容易になる。
【００１０】
また、生鮮商品に貼付され、当該商品の価格と加工時刻を含む商品情報を備えるラベルの当該商品情報を購入商品精算時刻とともに読取るリード処理と、上記リード処理にて読取った上記商品情報の加工時刻と上記購入商品精算時刻との時間差値を算出する算出処理と、上記算出処理にて得られた時間差値に応じた割引率を設定する割引率設定処理と、上記商品情報の価格に上記割引率を掛け合わせ割引価格情報を算出する割引価格算出処理とを備えるプライスダウン処理方法を提供する。
小売店の商品販売処理において、商品の割引処理を、商品の加工時刻から精算時のラベル読取り時刻迄の経過時間に応じた割引率を用いて割引価格情報とする。
【発明の効果】
【００１１】
以上のように本発明によれば、値引き処理にマークダウンラベルを不要とし、よって、値引き表示をするためにマークダウンラベルを貼付する処理工数も不要になる。従って、マークダウンラベルに要するラベル資源の消費を抑えることができ、マークダウンラベルの貼付作業がなくなる分商品に対する値引き処理自体を無くすることができる。
また、マークダウンラベルを用いることなく購入商品精算時に値引き処理を行なうので、マークダウンラベルの貼り替え行為を完全に防止することができる。
【発明を実施するための最良の形態】
【００１２】
本発明の実施の形態に係るプライスダウン処理システムを図１及び図２に基づき説明する。
プライスダウン処理システム１０は、通常の値引きをしない商品と共に商品の売買処理過程に存在する。商品の売買処理は、客が購入したい商品を選択する商品陳列側と、選択した商品の精算を行なう商品精算側とに分かれる。
図１に示すように、プライスダウン処理システム１０は、商品陳列側と商品精算側とに存在し、生鮮商品の値引き処理を効率的に行なうことができるシステムである。
プライスダウン処理システム１０は、商品陳列側においては、生鮮商品Ｍに貼付されるラベル１を備える。
ラベル１は、図２の（Ａ）に示すように、商品名、価格及び加工時刻を表示すると共に、それらの情報を含む商品情報をバーコードで読み出し可能に表示している。ここで、バーコードを介して商品情報を読み出しているが、価格及び加工時刻の表示をそのまま商品情報として用いることもできる。例えば、表示されている商品情報（数字やテキスト文字）をスキャンして利用することができる。
【００１３】
また、ラベル１には、加工時刻に応じて色表示部分３を設けている。色表示部分３は、所定の時刻範囲内に加工した商品に貼付するラベル１には同色表示を施している。
色表示は、インク印字で行ってもラベル（感熱）の熱発色によるものでもよく、ラベルに顕色できるものであればよい。また、予め色表示部分３を施したラベル１を用い、加工時刻範囲に応じた色のラベルに商品情報を印字するものでもよい。
また、プライスダウン処理システム１０は、商品陳列側においては、プライスダウン情報を提示する表示手段４を備える。表示手段４は、図２（Ｂ）に示すようにラベル１の色表示３に対応する割引率や割引金額を表示できるものであればよい。表示する割引率や割引金額は、下記する精算手段７に設定している時間差値に対応した割引率や割引金額の情報が連動（有線または無線による通信を介して）して表示できる構成にしている。
【００１４】
プライスダウン処理システム１０は、商品精算側においては、購入商品精算時に商品情報を読取るリード手段５と、リード手段による商品情報読取り時における読取り時刻と、読取った加工時刻との時間差値を算出する算出手段６と、得られた時間差値に応じて、割引価格情報の算出を行なう精算手段７とを備える。
リード手段５としては、光学式スキャナが用いられ商品情報の読取りを行なう。ここでは光学式スキャナでバーコードを読取ることにより、バーコードに対応した商品情報を取得する。バーコードに対応した商品情報は、リード手段５内部に備えても、外部（通信によりバーコードに対応する商品情報を取得する）に備えてもよく一方に限定されない。また、リード手段５は、読取り時時刻の情報も取得する。
リード手段５で取得した商品情報は、価格は精算手段へ提供される。また、加工時刻と読取り時時刻とは、算出手段６へ提供される。
算出手段６は、リード手段５から提供された加工時刻と読取り時時刻を用いて、加工時刻から読み取り時時刻迄の経過時間を算出する。この経過時間を時間差値として精算手段７へ提供する。
精算手段７は、提供された時間差値と予め設定している１以上の所定値とを比較し、比較結果に応じて予め設定している割引率が選定される。この選定された割引率をリード手段５から提供されている価格に掛け合わせることにより、割引価格情報が得られる。
【００１５】
次に、本発明の実施の形態に係るプライスダウン処理方法を図３に基づき説明する。
プライスダウン処理方法２０は、リード処理２１、算出処理２２、割引率設定処理２３、割引価格算出処理２４を備えて構成される。
リード処理２１は、商品情報の読み取り手段であり、商品情報の表現状態（バーコードやキャラクタ）によりバーコードリーダやスキャナを利用することができる。ここでは、商品情報である商品名、価格、加工時刻等とともに、読み取りを行なった読取り時刻を取得する。
算出処理２２では、商品情報の加工時刻から読取り時刻までの経過時間を算出し時間差値とする。
割引率設定処理２３は、算出処理２１で得られた時間差値に応じた割引率を選定する。割引率は、予め時間差値の所定値応じて設定している。ここでは、例えば、時間差値が５時間（所定値１）未満の場合は割引を行なわない割引率１．０を選択し、５時間以上かつ８時間（所定値２）未満の場合には３０％割引とする割引率０．７を選択し、８時間以上かつ１０時間（所定値３）未満の場合には５０％割引する０．５を選択し、１０時間以上の場合には販売不能とするエラー値を選択するように設定している。エラー値は、精算処理をできなくする値である。
割引価格算出処理２４は、リード処理２１にて読取られた価格と、割引率設定処理２３にて選択した割引率を用いて割引価格情報を計算する。割引価格情報は、価格と割引率を掛け合わせることにより得られる。
ここでは、割引価格情報が得られる過程について説明した。得られた割引価格情報と、エラー値は、例えば購買商品を精算するレジスタに提供され、読取り順に加算処理される。このとき、エラー値が提供された場合には、精算不能表示を伴わせて加算処理から除外させる。
【産業上の利用可能性】
【００１６】
本発明は、加工時刻を基準にプライスダウンを行なうものであるが、加工時刻を他の情報に置換することにより生鮮商品以外の商品をプライスダウンすることができる。例えば、棚卸の際に不要な商品を捌くために商品名情報を設定することにより値引き処理を行なうことができる。このようなプライスダウン処理システムは、生鮮食品を販売するＰＯＳシステムの一処理形態として利用することができる。また、プライスダウン処理システムは、生鮮商品に限らず、期間限定商品の値引等、一般的な商品の値引き処理に適用できる。
【図面の簡単な説明】
【００１７】
【図１】本発明の実施の形態に係るプライスダウン処理システムの一例構成図
【図２】本発明の実施の形態に係るプライスダウン処理システムを構成するラベルと表示手段を示す説明図。
【図３】本発明の実施の形態に係るプライスダウン処理方法の一例説明図。
【符号の説明】
【００１８】
１０  プライスダウン処理システム
１    ラベル
２    商品情報
３    色表示部分
４    表示手段
５    リード手段
６    算出手段
７    精算手段
２０  プライスダウン処理方法
２１  リード処理
２２  算出処理
２３  割引率設定処理
２４  割引価格算出処理
Ｍ    商品
【図１】
2010039504.tif 000003
【図２】
2010039504.tif 000004
【図３】
2010039504.tif 000005